(57)【特許請求の範囲】
【請求項１】
起動スイッチを操作した場合に起動信号を制御盤に送信して消火ガスを放出させるガス系消火設備の操作箱に於いて、
表パネルの上側の略半分に操作表示部を設けると共に下側の略半分に所定の深さに窪ませた収納部を形成した操作箱本体と、
一方の側端を回動自在に軸支することにより、前記収納部を覆って横方向に開閉自在に設けた扉と、
前記扉の他方の側端の上方に偏倚した位置を矩形に切り欠いて形成した引き手開口と、
前記引き手開口における開口縁部に近い外部に露出した前記収納部内の位置に設けた電話ジャックと、
前記扉の閉鎖状態で覆われる前記収納部内の位置に設けた保護カバー付きの起動スイッチと、
前記引き手開口の下側で且つ前記扉の左右方向の略中央となる前記収納部内の位置に設けられ、前記扉を磁気吸着により閉鎖位置に保持するマグネットキャッチと、
を備えたことを特徴とするガス系消火設備の操作箱。
【請求項２】
請求項１記載のガス系消火設備の操作箱に於いて、前記扉に形成した前記引き手開口の上側の側端に向かう扉張出部位を、前記扉の閉鎖状態で受け止めて支持する受け突起を設けたことを特徴とするガス系消火設備の操作箱。
【請求項３】
請求項１記載のガス系消火設備の操作箱に於いて、前記起動スイッチ及び前記マグネットキャッチを、前記扉の閉鎖状態で、前記引き手開口の下側の扉面裏側を外れた位置に配置したことを特徴とするガス系消火設備の操作箱。
【発明の詳細な説明】
【技術分野】
【０００１】
本発明は、複数の防護区画に二酸化炭素等の消火ガスを放出して火災を消火するガス系消火設備の操作箱に関する。
【背景技術】
【０００２】
従来、火災発生時に二酸化炭素やハロンガス等の消火ガスを放出して火災を消火するガス系消火設備は、水損や汚損を嫌う機器を設置している室内において、消火による機器損失を最小限に抑えつつ迅速な消火を行うことを可能とする。
【０００３】
このようなガス系消火設備は、制御盤に自動モードを設定していた場合には、防護区画に設置した２系統に接続された各火災感知器からの火災発報（２系統のＡＮＤ発報）があった場合に、ガス放出する起動条件が成立したと判断して所定時間のカウントダウンを開始し、カウントダウンが終了すると、制御盤から起動装置に起動信号を出力して動作し、起動装置から二酸化炭素等の開放ガスを防護区画に対応したガス供給配管に設けた選択弁に供給して開くと共に消火ガス貯蔵容器の栓を開け、噴射ヘッドから消火ガスを放出する。
【０００４】
また制御盤に手動モードを設定していた場合には、監視員が目視又は火災感知器の発報によって火災を発見し、防護区画に設置した操作箱の扉を開いて起動スイッチを押した場合にガス放出する起動条件が成立したと判断して制御盤がカウントダウンを開始し、カウントダウンが終了すると同様にして消火ガスを放出する。
【０００５】
図７はガス系消火設備に設けている操作箱の一例を示した説明図である。図７（Ａ）に示す操作箱１００は、本体前面の下側に、ヒンジ１０４により開閉自在に扉１０２を設けており、扉１０２はシール１１２の封止により閉鎖状態に保持されており、また、扉１０２には上端に引き手開口１０６を形成している。扉１０２の内側には保護プレート付きの起動スイッチ１０８を配置しており、また、引き手開口１０６を介して露出した位置に電話ジャック１１０を設けている。
【０００６】
図７（Ｂ）に示す操作箱２００は、本体前面の矩形に窪ませた収納部２０１の左半分を覆ってヒンジ２０４により開閉自在に扉２０２を設けており、扉２０２の右端に引き手２０６を張り出すように設けている。扉２０２の内側には保護プレート付きの起動スイッチ２０８を配置しており、また、扉２０２を設けていない収納部２０１の露出した位置には電話ジャック２１０を設けている。
【０００７】
図７（Ｃ）に示す操作箱３００は、本体前面にヒンジ３０４により開閉自在に扉３０２を設けており、扉３０２はマグネットキャッチ３０５また扉３０２の左端下部に引き手溝３０６を設けている（特許文献３参照）。
【先行技術文献】
【特許文献】
【０００８】
【特許文献１】特開平６−０６２４３２号公報
【特許文献２】特開平１１−２４５８０９号公報
【特許文献３】特許第４９１５８８７号公報
【発明の概要】
【発明が解決しようとする課題】
【０００９】
ところで、このような従来のガス系消火設備は、定期的な点検を必要としており、操作箱を点検する場合には、係員が操作箱の電話ジャックに非常電話器のプラグを接続し、制御盤側の係員と連絡を取りながら、扉を開いて起動スイッチを操作するといった点検作業を行っている。
【００１０】
また、防護区画で火災が発生した場合にも、担当者は操作箱の電話ジャックに非常電話器のプラグを接続し、制御盤側の担当員と連絡を取りながら、扉を開いて起動スイッチを操作する場合もある。
【００１１】
ここで、操作箱の扉を開くと扉開検出スイッチが動作して操作箱から制御盤に検出信号を送り、防護区画に対し非常放送が行われ、続いて、起動スイッチを操作すると起動信号が制御盤に送られ、点検時は所定の点検動作が行われ、火災時は消火ガスを放出させる動作が行われる。
【００１２】
しかしながら、図７（Ａ）に示した操作箱１００にあっては、電話ジャック１１０に非常電話機を接続した場合、引き手開口１０６に手先が入り難くなり、非常電話で連絡をとりながら扉１０２を開いて起動スイッチ１０８を押す操作が行いづらい問題がある。また、扉１０２は下向きに開くが、常識的に扉は横開きとの認識が強く、気が動転している火災時には、扉１０２を開く操作に手間取る場合もある。
【００１３】
また、図７（Ｂ）に示した操作箱２００にあっては、扉２０２が操作箱２００の前面の横半分を示す縦長の扉形状であり、扉２０２の横幅が狭く、引き手２０６の近くをマグネットキャッチ２０５で吸着保持しており、引き手２０６を引いたときの力がマグネットキャッチ２０５の保持を引き離す力となり、ある程度強い力で引かないとマグネットキャッチ２０５の吸着を解除できない問題がある。また、縦長の扉２０２の端部に設けた引き手２０６に対し、マグネットキャッチ２０５から離れた上側又は下側の位置を強く引いた場合には、扉２０２が撓み、扉２０２の開閉を繰り返していると扉２０２が変形してしまう可能性がある。
【００１４】
更に、図７（Ｃ）に示す操作箱３００にあっては、操作箱３００の前面全体を覆って扉３０２を設けていることから、図７（Ａ）（Ｂ）のように、電話ジャックに非常電話機を接続して制御盤側の連絡しながら扉３０２を開くといった特に点検時に必要な操作ができず、また、扉３０２が大型化し、また開閉する扉３０２に各種の表示灯や起動スイッチ以外の手動モードと自動モードを切り替えるキースイッチや非常停止スイッチ等の操作部を設ける必要があり、扉構造が複雑化してコストアップになる問題もある。
【００１５】
本発明は、非常電話を接続したまま簡単に開放可能であり、また、マグネットキャッチに対し軽い力で容易に開放可能とするガス系消火設備の操作箱を提供することを目的とする。
【課題を解決するための手段】
【００１６】
（操作箱）
本発明は、起動操作により起動信号を制御盤に送信して消火ガスを放出させるガス系消火設備の操作箱に於いて、
表パネルの上側の略半分に操作表示部を設けると共に下側の略半分に所定の深さに窪ませた収納部を形成した操作箱本体と、
一方の側端を回動自在に軸支することにより、収納部を覆って横方向に開閉自在に設けた扉と、
扉の他方の側端の上方に偏倚した位置を矩形に切り欠いて形成した引き手開口と、
引き手開口における開口縁部に近い外部に露出した収納部内の位置に設けた電話ジャックと、
扉の閉鎖状態で覆われる収納部内の位置に設けた保護カバー付きの起動スイッチと、
引き手開口の下側で且つ扉の左右方向の略中央となる収納部内の位置に設けられ、扉を磁気吸着により閉鎖位置に保持するマグネットキャッチと、
を備えたことを特徴とする。
【００１７】
（扉の引き手開口を形成した部位の支持構造）
扉に形成した引き手開口の上側の側端に向かう扉張出部位を、扉の閉鎖状態で受け止めて支持する受け突起を設ける。
【００１８】
（引き手開口の下側の扉内空きスペース）
起動スイッチ及びマグネットキャッチを、扉の閉鎖状態で、引き手開口の下側の扉面裏側を外れた位置に配置する。
【００１９】
（電話ジャックの露出配置位置）
電話ジャックを、引き手開口における上部内側コーナーの近傍の露出位置に設ける。
【発明の効果】
【００２０】
（基本的な効果）
本発明は、起動操作により起動信号を制御盤に送信して消火ガスを放出させるガス系消火設備の操作箱に於いて、表パネルの上側の略半分に操作表示部を設けると共に下側の略半分に所定の深さに窪ませた収納部を形成した操作箱本体と、一方の側端を回動自在に軸支することにより、収納部を覆って横方向に開閉自在に設けた扉と、扉の他方の側端の上方に偏倚した位置を矩形に切り欠いて形成した引き手開口と、引き手開口における開口縁部に近い外部に露出した収納部内の位置に設けた電話ジャックと、扉の閉鎖状態で覆われる収納部内の位置に設けた保護カバー付きの起動スイッチと、引き手開口の下側で且つ扉の左右方向の略中央となる収納部内の位置に設けられ、扉を磁気吸着により閉鎖位置に保持するマグネットキャッチとを備えるようにしたため、点検時又は火災時に、非常電話を電話ジャックに接続しても、電話ジャックは扉に形成した矩形の引き手開口の開口縁部に近い位置に設けていることから、電話ジャックに非常電話機を接続していても、引き手開口は十分な広さを確保しており、非常電話機により制御盤側と連絡をとりながら、引き手開口に手先を入れて引くことで、容易に扉を開放し、必要に応じて起動スイッチを操作可能とする。
【００２１】
また、扉の例えば左端から矩形に切欠いた引き手開口を形成し、扉右側のヒンジ側との間となる扉左右方向の略中央にマグネットキャッチを配置して扉を閉鎖状態に吸着保持しており、引き手開口に手先を入れて手前に引いて扉を開こうとする場合、扉右端が支点、扉左端が操作力を加える力点、扉中央がキャッチマグネットに対する引き外し力を加える作用点となり、支点と力点の距離に対し、支点と作用点の距離が短いことから、距離の相違により倍力された引き外し力が加わり、キャッチマグネットによる吸着力が強くとも、軽い操作力で扉を簡単に開放することを可能とする。また、扉を開放する力を強くすることなく、マグネットキャッチにより扉を閉鎖状態に維持する吸着力を強くできるため、扉を閉鎖状態に確実に保持できる。
【００２２】
（扉の引き手開口を形成した部位の支持構造による効果）
また、扉に形成した引き手開口の上側の側端に向かう扉張出部位を、扉の閉鎖状態で受け止めて支持する受け突起を設けるようにしたため、引き手開口を扉の側端の上側に偏倚して形成したことで、上側の側端に向かう扉張出部位の幅が狭くなり、また、マグネットキャッチによる吸着位置から最も遠い片持ち位置となることでバタつきやすくなるが、受け突起により受け止めて支持することで、扉のバタつきを防止し、扉を閉鎖状態に確実に保持可能とする。
【００２３】
（引き手開口の下側の扉内空きスペースによる効果）
また、起動スイッチ及びマグネットキャッチを、扉の閉鎖状態で、引き手開口の下側の扉面裏側を外れた位置に配置するようにしたため、扉に形成した引き手開口の下側扉面の裏側を確実に空きスペースとして確保し、扉を開く場合に引き手開口から手先を入れても邪魔になるものはなく、扉を確実に手前に引いて開放することができる。
【図面の簡単な説明】
【００２４】
【図１】ガス系消火設備の全体構成を示した説明図
【図２】操作箱を正面及び側面で示した説明図
【図３】図２の操作箱のＡ−Ａ断面を示した断面図
【図４】操作箱の扉を開いて内部を示した斜視図
【図５】操作箱の扉を開いて内部を示した正面図
【図６】図５の扉を開いた操作箱のＡ−Ａ断面を示した断面図
【図７】従来の操作箱を示した説明図
【発明を実施するための形態】
【００２５】
［ガス系消火設備の概要］
図１はガス系消火設備の全体構成図を示した説明図である。なお、図１の設備構成は一例であり、必要に応じて適宜の構成をとることができる。
【００２６】
図１に示すように、ガス系消火設備にはガス系の消火設備を一括制御する制御盤１０を設け、また防護区画Ａ，Ｂとなる各部屋の外に操作箱１２を設置している。操作箱１２は起動スイッチと起動スイッチを保護する扉を備え、手動モードを設定している場合、人が火災を発見したときには、扉を開けて起動スイッチを操作することにより制御盤１０に起動信号を送信し、消火剤としての消火ガスを放出させる。放出表示灯１５は監視区域内に消火ガスが放出されていることを表示し、室内に入らないことを知らせる。
【００２７】
噴射ヘッド１４は消火ガスを室内に放出する。スピーカ１３は消火ガスが放出されることを示す注意警報と退避警報を放送し、人が警戒区域内に存在する場合は直ちに避難することを促す。消火ガス貯蔵容器１６は消火ガスを貯蔵する。
【００２８】
本実施形態にあっては、複数の防護区画Ａ，Ｂについて火災想定を１箇所としており、このため消火ガス貯蔵容器１６は複数の防護区画Ａ，Ｂに対する共通設備として設けており、１防護区画の消火に必要な量の消火ガスを充填している。
【００２９】
起動装置１８は防護区画Ａ，Ｂに対応して設け、制御盤１０から消火ガス放出用の起動信号を受けて内蔵したソレノイドの通電により開弁して二酸化炭素などの開放ガスを放出し、開放ガスにより選択弁１７を開放させると共に消火ガス貯蔵容器１６の栓を開ける。選択弁１７は起動装置１８の起動による開放ガスを受けて開き、火災の生じた防護区画Ａ又はＢの噴射ヘッド１４に消火ガスを供給して噴射させる。
【００３０】
火災感知器１１は２系統の感知器回線で各防護区画Ａ，Ｂの火災を監視している。圧力スイッチ２１は消火ガス貯蔵容器１６から消火ガスが放出されたことを検出し、制御盤１０に検出信号を送り、火災の発生した監視区域に対応した放出表示灯１５を点滅させる。ピストンレリーザ１９は消火ガスが部屋に放出されたとき消火ガスを室外に漏れないようにダンパーで排煙口を閉じる。閉止弁２３は消火ガス貯蔵容器１６からの消火ガスの供給を手動で閉止する。
【００３１】
このようなガス系消火設備において、制御盤１０に自動モードを設定していた場合には、２系統に接続された各火災感知器１１からの火災発報（２系統のＡＮＤ発報）があった場合にガス放出の起動条件が成立したと判断して起動権を獲得し、所定時間のカウントダウンを開始すると共にスピーカ１３は消火ガスが放出されることを示す注意警報と退避警報を放送する。
【００３２】
制御盤１０及び操作箱１２には２桁表示の７セグメント表示器を設けており、通常はカウントダウン初期値として所定の秒数を表示しており、カウントダウンを開始すると、残り時間の秒数を順次表示し、カウントダウン終了で零秒を表示する。
【００３３】
制御盤１０のカウントダウンが終了すると、制御盤１０から起動装置１８にガス放出信号を出力して動作し、起動装置１８から二酸化炭素等の開放ガスを選択弁１７に供給して開くと共に消火ガス貯蔵容器１６の栓を開け、ガス供給配管を介して噴射ヘッド１４から火災検知した防護区画の室内に消火ガスを放出させる。
【００３４】
また制御盤１０に手動モードを設定していた場合には、監視員が目視又は火災感知器１１の発報によって例えば防護区画Ａの火災を発見し、防護区画Ａの外側に設置している操作箱１２の扉を開いて起動スイッチを押すことで起動信号を制御盤１０に送信し、制御盤１０はカウントダウンを開始すると共にスピーカ１３は消火ガスが放出されること示す注意警報と退避警報を放送し、カウントダウンが終了すると、自動モードの場合と同様にして防護区画の噴射ヘッド１４から消火ガスを放出させる。
【００３５】
［操作箱の構成］
図２は防護区画に設けた操作箱の正面及び側面を示した説明図、図３の図２の操作箱のＡ−Ａ断面を示した断面図である。
【００３６】
図２及び図３に示すように、操作箱１２は、操作箱本体２０の表パネル２２の上側略半分に操作表示部２４を設け、操作表示部２４には、操作箱１２の電源状態を示す電源灯、火災発生を示す火災灯、ガス放出動作が起動されたことを示す起動灯、ガス放出中を示す放出灯、消火ガスを放出させないための閉止弁が閉じているときに点滅する閉止弁閉表示灯、消火ガス放出前のカウントダウン時間等を表示する７セグメント表示器、自動モード又は手動モードのモード選択を行うためのキースイッチ、消火ガスの放出を非常停止するための非常停止スイッチ、手動モード運転時に点灯する手動モード表示灯、自動モード運転時に点灯する自動モード表示灯等を設けている。
【００３７】
表パネル２２の下側の略半分には所定の深さをもった箱形の収納部２６を形成し、収納部２６を覆って扉２８を設けている。扉２８は扉開口を形成する収納部２６の右側にヒンジ３０により横方向に開閉自在に設け、また、扉２８の左側端の上方に偏倚して矩形に切り欠いた引き手開口３２を形成し、引き手開口３２に手先を入れて扉２８を横方向に開放可能としている。
【００３８】
扉２８に形成した引き手開口３２の上側の側端に向かう扉張出部位２８ａに対応して、扉２８の閉鎖状態で扉張出部位２８ａで受け止めて支持する受け突起４０を設けている。
【００３９】
扉２８に形成した引き手開口３２に相対した収納部２６内の外部に露出した位置には電話ジャック３６を設けている、電話ジャック３６の位置は、引き手開口３２における上部内側コーナーの近傍となる位置に設け、引き手開口３２の開口スペースを妨げないように配置している。
【００４０】
扉２８の閉鎖状態で覆われる収納部内の位置には、マグネットキャッチ３４と保護カバー４２（図３参照）を設けた起動スイッチ３８を設けている。マグネットキャッチ３４は、引き手開口３２の下側で且つ扉２８の左右方向の略中央となる収納部２６内の位置に設けられ、扉２８を磁気吸着により閉鎖位置に保持している。また、起動スイッチ３８及びマグネットキャッチ３４は、扉２８の閉鎖状態で、引き手開口３２の下側の扉面裏側を外れた位置に配置しており、引き手開口３２の下側となる扉張出部位２８ｂの裏面側に十分な空スペースを形成している。
【００４１】
［扉を開いた操作箱］
図４は操作箱の扉を開いて内部を示した斜視図、図５は操作箱の扉を開いて内部を示した正面図、図６は図５の扉を開いた操作箱のＡ−Ａ断面を示した断面図である。なお、図４は取付ボックスを除いている。
【００４２】
図１に示した操作箱２８１２の扉２８に形成した引き手開口３２から扉張出部位２８ｂの裏側に手先を入れて手前に引くことにより、マグネットキャッチ３４による吸着を解除して図４乃至図６に示すように、扉２８を開放した状態とすることができる。
【００４３】
扉２８の開放は、例えば点検の際に起動スイッチ３８を操作するために行う。この場合、係員は、扉２８を閉鎖した状態で図２に示したように引き手開口３２を介して外部に露出している電話ジャック３６に非常電話機のプラグを差し込んで接続し、制御盤側の係員と連絡を取りながら操作箱１２の点検作業を行う。
【００４４】
この点検作業は、電話ジャック３６に非常電話機を接続したまま、扉２８を開放する。このとき電話ジャック３６は扉２８に形成した引き手開口３２の右上コーナーの近傍に配置しているため、非常電話を接続していても引き手開口３２の開口スペースを制約する度合いは少なく、引き手開口３２の開口スペースは十分に確保されており、非常電話の接続に妨げられることなく、係員は引き手開口３２に手先を入れて手前に引くことができる。
【００４５】
また、起動スイッチ３８及びマグネットキャッチ３４を、扉２８の閉鎖状態で、引き手開口３２の下側の扉張出部位２８ｂの裏側を外れた位置に配置しているため、扉張出部位２８ｂの裏側に十分な空きスペースが確保され、扉２８を開く場合に引き手開口３２から手先を入れても邪魔になるものはなく、扉２８を確実に手前に引いて開放することができる。
【００４６】
また、扉２８の左端から矩形に切欠いた引き手開口３２を形成し、扉２８の右側のヒンジ３０による回動側との間となる扉左右方向の略中央にマグネットキャッチ３４を配置して扉を閉鎖状態に吸着保持しており、引き手開口３２に手先を入れて手前に引いて扉２８を開こうとする場合、扉右端のヒンジ３０が支点、扉左端の引き手開口３２の手先を入れた位置が操作力を加える力点、扉中央のマグネットキャッチ３４の吸着位置が引き外し力が加わる作用点となり、支点と力点の距離に対し、支点と作用点の距離が短いことから、距離の相違により倍力された引き外し力が作用点に加わり、マグネットキャッチ３４による吸着力が強くとも、軽い操作力で扉２８を簡単に開放することを可能とする。
【００４７】
即ち、支点と力点の距離をＬ１、支点と作用点の距離をＬ２とすると、支点に加わる力Ｆ１と作用点に加わる力Ｆ２との間には、
Ｆ１・Ｌ１＝Ｆ２・Ｌ２
の関係があり、
Ｆ２＝Ｆ１・（Ｌ１／Ｌ２）
となり、支点と力点の距離Ｌ１に対し支点と作用点の距離Ｌ２が短いことから（Ｌ１＞Ｌ２）、作用点に加わる力Ｆ２を距離の比（Ｌ１／Ｌ２）応じて倍力できる。
【００４８】
また、扉２８を開放する力を強くすることなく、マグネットキャッチ３４により扉２８を閉鎖状態に維持する吸着力を強くできるため、扉２８を閉鎖状態に確実に保持できる。
【００４９】
また、扉２８に形成した引き手開口３２の上側の側端に向かう扉張出部位２８ａを、扉２８の閉鎖状態で受け止めて支持する受け突起４０を設けており、引き手開口３２を扉２８の左側端の上側に偏倚して形成したことで、扉張出部位２８ａの幅が狭くなり、また、マグネットキャッチ３４による吸着位置から最も遠い片持ち位置となることでバタつきやすくなるが、受け突起４０により、扉張出部位２８ａの先端を受け止めて支持することで、扉２８のバタつきを防止し、扉を閉鎖状態に確実に保持可能とする。
【００５０】
このようにして扉２８を開放すると、マグネットキャッチ３４と一体に設けている扉開検出スイッチ４４がオンして操作箱１２から制御盤１０に扉開検出信号が送信され、防護区画に対し非常放送か行われる。
【００５１】
続いて、保護カバー４２を外して起動スイッチ３８の操作釦を押し込むと、起動スイッチ３８がオンし、操作箱１２から制御盤１０に起動信号が送信され、起動スイッチ３８の操作に基づく所定の点検動作が行われる。
【００５２】
また、火災が発生した場合にも、例えば電話ジャック３６に非常電話を接続して制御盤１０側と連絡を取りながら、点検時と同様に扉２８を開き、続いて保護カバー４２を押し破って起動スイッチ３８の操作釦を押し込むと、起動スイッチ３８がオンし、操作箱１２から制御盤１０に起動信号が送信され、所定時間のカウントダウン後に防護区画に対する消火ガスの放出が行われる
［本発明の変形例］
なお、上記の実施形態は、扉を右開きとしているが、左開きとした場合にも、同様に構成すればよい。
【００５３】
また、本発明は上記の実施形態に限定されず、その目的と利点を損なうことのない適宜の変形を含み、更に上記の実施形態に示した数値による限定は受けない。
【符号の説明】
【００５４】
１０：制御盤
１１：火災感知器
１２：操作箱
１３：スピーカ
１４：噴射ヘッド
１５：放出表示灯
１６：消火ガス貯蔵容器
１７：選択弁
１８：起動装置
２０：操作箱本体
２１：圧力スイッチ
２２：表パネル
２３：閉止弁
２４：操作表示部
２６：収納部
２８：扉
２８ａ：扉張出部位
２８ｂ：扉張出部位
３０：ヒンジ
３２：引き手開口
３４：マグネットキャッチ
３６：電話ジャック
３８：起動スイッチ
４０：受け突起
４２：保護カバー
４４：扉開検出スイッチ
【図１】
0006543162.tif 000002
【図２】
0006543162.tif 000003
【図３】
0006543162.tif 000004
【図４】
0006543162.tif 000005
【図５】
0006543162.tif 000006
【図６】
0006543162.tif 000007
【図７】
0006543162.tif 000008